(57)【特許請求の範囲】
【請求項１】
左右に側板を有する筒状のクリーニングローラ体の軸心を、ハンドルに設けられた支軸で回動可能に枢着すると共に該軸芯から等間隔に粘着シートが巻き軸に巻回された粘着ロール体と、該粘着ロール体から引き出された引出粘着シートを巻き取りする巻取り軸を、該クリーニングローラ体の該側板間でそれぞれ平行に所定間隔を持って回動自在に枢着し、該粘着ロール体の粘着シートを引き出してクリーニングローラ体周面に、該引出粘着シートの粘着部を表側にして周回させて付装すると共に再び、該ローラ体内に挿入して更新ハンドルを介して巻取り軸で巻き取りできるように、クリーニングローラ体の周面に、引出粘着シートの繰出し口と、巻取り口を該粘着シート巾で開設し、該クリーニングローラ体周面に巻回付装して保持される引出粘着シートが緩まないように、粘着ロール体から繰出し口近傍の間及び巻取り口近傍から巻取り軸の間で、該引出粘着シートの移動を止め、または粘着ロール体及び巻取り軸の回動を止める粘着シートストッパを設けた粘着ローラクリーナにおいて、
粘着ロール体の巻き軸の径が、従来品の粘着ロール体より小径とすると共に前記粘着シートの巻き数を変えることで所要直径として、該直径に比例させて該クリーニングローラ体の所要直径として形成することを特徴とした粘着ローラクリーナ。
【請求項２】
クリーニングローラ体周面に巻回付装された引出粘着シートが、該略引出粘着シート幅で、且つクリーニングローラ体周面より少なくともその略半径分、該引出粘着シートが膨出状に角取り支持部材を介して突出するように、粘着シート巾と略同幅で、且つ該クリーニングローラ体の少なくともその半径分の外周面へ突出する該角取り支持部材としてクリーニングローラ体内から周面外へ出没可能にクリーニングローラ体内に設けられ、または粘着シート巾と略同幅で、且つ該クリーニングローラ体の少なくともその半径分の外周面を該角取り支持部材とし、該クリーニングローラ体の該周面近傍の該側板間に設ける支軸を介して該周面外へ回動して上記膨出状に突出可能に、該角取り支持部材を枢着したとする請求項１記載の粘着ローラクリーナ。
【発明の詳細な説明】
【技術分野】
【０００１】
本発明は、粘着シートが巻かれた粘着ロールの該粘着シートでゴミを粘着除去する粘着ローラクリーナに関する。
【背景技術】
【０００２】
従来、市販される粘着ローラは、粘着シートが巻かれた該粘着ローラにハンドル等を設け、該ハンドルにてクリーニング対象物の上を回動させて、該粘着ローラの粘着シートにゴミを粘着させてゴミを粘着除去し、該粘着シートが汚れて粘着性が落ちると、該粘着シートを破り取る粘着ローラクリーナが、最も多く汎用されている。
【０００３】
また、他の粘着ローラとして、洗浄して何度も使い回しできる粘着部材をローラ周面に形成させた粘着ローラタイプの粘着クリーナが一般市販されている。
【０００４】
さらに、粘着ローラクリーナの先行技術における先願特許として、「粘着カーペットクリーナ」が開示されており、該粘着カーペットクリーナは、二つの対向する側板１の間に固定支持された二本の平行な軸４,５ と、これらの軸にそれぞれ回転可能に支持された複数の支持ローラ６,７;６′,７′とを備え、一方の支持ローラには、巻芯９に巻いてある粘着テープ巻回体１０aを装着し、且つ他方の支持ローラには空の巻芯を装着し、また各固定軸と支持ローラの間に配置され、粘着テープに張力を加えるためのブレーキユニット２０を有することが記載されている。（例えば、特許文献１参照）
【先行技術文献】
【特許文献】
【０００５】
【特許文献１】特開平７−３２７９１２号公報
【発明の概要】
【発明が解決しようとする課題】
【０００６】
上述した従来の市販される粘着ロールは、粘着シートを巻回した粘着ロールをゴミ取り粘着ローラとして絨毯などのゴミを粘着除去し、該粘着ローラ周面にゴミが粘着して粘着能力が無くなると、その一周分の粘着シートを破り取り新しい粘着面を出し、または粘着シートでない洗浄して何度も使い回せるタイプの粘着ローラは、その周面を洗浄することで新しい面とする必要があった。
【０００７】
特に、粘着シートを破り取るタイプの粘着ローラクリーナとして販売されるものは、該粘着ローラ周面に汚れが付着すると、その巻き初めが分かりづらく、捲り取るのに手間取り、その改善も求められていた。
【０００８】
そして、該粘着シートを破り取るとき、粘着ローラ周面に長い髪の毛などが粘着巻き取られていると、その粘着ローラ周面を髪の毛が周回するので、粘着シート捲り取るとき、その巻回した長いゴミが切れないことがあることから粘着シートを破取るのに手間取り（ミシン目を付加して破り取りしやすいようにした物もあるが、切れづらい長いゴミがあると破りにくい）、またそのとき粘着シートの新しい粘着面にまで破れが及ぶことがあり無駄となっており、その改善が求められていた。
【０００９】
さらに、ゴミが粘着した粘着ローラ周面は、その汚れで不潔となっており、その汚れ面を直接手で触れないと、粘着シートの新しい粘着面を捲って、破り取らなければならないことから不衛生であり、手で触れることなく新規な粘着面に更新できるものが待たれていた。
【００１０】
加えて、市販される粘着ロールの直径に関して、粘着シートを軸に巻き取って所定径の粘着ロールとし、その軸径と粘着ロールの直径（粘着シートの巻数）との関係は、該直径と粘着除去するそのゴミ取り面積とが比例し、その直径が小さいと面積も狭く、該面積が狭いとゴミで直ぐに粘着力が落ちることから、一定以上の直径がないと絶えず該シートの更新をしなくてはならず使用が煩雑となり、よって広い場所を粘着クリーニングするのは不向きで、またクッションなど狭く部分的な場所は小径のものが使いやすく、該直径と粘着面積が使用において重要となるが、従来のものはそれに対応せず、その対応が待たれていた。
【００１１】
また、粘着ロールの外径と軸径に関しても、上記粘着面積を広くするため該粘着シートを多く巻いてその外径を大きくしても軸径が細いと、粘着シートを使用して徐々に細い軸径に近づき、上記粘着面積が徐々に狭くなり、そのことから現状では、粘着ロールの直径が約５０ミリで、軸径では約４０ミリ前後の外径と軸径の差を小さくしたものが提供され、そのことから該粘着シートを多く巻いて大量使用の粘着ロールでは、上述のように粘着クリーニングする対象物の広さに対応できなかった。
【００１２】
さらに、従来の粘着シートを軸径に巻いた粘着ロールを粘着クリーナとするものは、使用して該粘着ロールの外径が小さく変化するため、該粘着ロールの粘着面積（外径の大きさ）と、該粘着面の交換頻度を考慮してその直径を設定しており、使用してもクリーニング面の外径（粘着面積）が小さく変化しない構成のものが求められていた。
【００１３】
加えて、上記粘着ロールの直径と粘着クリーニングする対象物の関係において、その粘着クリーニングする場所の広さに応じてその直径の効率が決まり、つまり、従来では一般床面など広い場所またはクッションなど狭く部分的な場所も、粘着ローラの径は変えず同様のものを使用しており、そのことから粘着クリーニングする場所に対する効率の良い直径で、しかもその粘着ローラの径変化（粘着面積）のないものが理想的で、それが待たれていた。
【００１４】
つまり、粘着ゴミ取りするときの粘着ロールの直径に関して、上述した広い部分を粘着ゴミ取りするときは直径が大きいものが効率的で、直径の小さいものは小物に使用するのが使いやすく、その大径を必要とするとき、軸心を大きくするか、又は小さな軸芯に多く巻き取るかであり、小さな軸芯では上述した課題があり、そしてまた、消費財である粘着ロールは、その対象物に合わせ径を変えるのは軸径を変えての外径変更となり、その求める直径に合わせて適宜、軸径を変更して製作する多品種の製作にはコスト高となりその解決が待たれていた。
【００１５】
さらに加えて、室内など壁面立ち上がりの角部近傍の床面ゴミを粘着除去するとき、粘着ロールの径には粘着の死角部分が存在するため、その死角部分に当たる該角部近傍の床面ゴミは、該粘着ロールでは粘着除去できず、その解決が望まれていた。
【００１６】
しかして、先行技術として特許文献１の「粘着カーペットクリーナ」は、前進させると支持ローラ６、７側の粘着テープ巻回体１０ａがカーペットに圧接されると共に時計方向に回動して、反対側の支持ローラ６′、７′上の粘着テープ巻回体１０ｂが持ち上がり、後退させると粘着テープ巻回体１０ａに再び粘着テープ１０が巻き取られると共に、反対側の粘着テープ巻回体１０ｂから粘着テープ１０が繰り出され、Ｂ方向への後退行程中、ブレーキユニットの作用が、支持ローラ６、７側で粘着テープ１０に後方へ張力が生じ、粘着テープのたるみを防止するとしている。
【００１７】
そして、上記前後連動により粘着テープ巻回体１０ａから粘着テープ１０を繰り出し、巻き取りすることにおいて、粘着テープ１０を剥がし取るように繰り出すとき、その粘着テープ巻回体１０ａに巻かれた粘着テープ１０の粘着力そのものが、剥がし取る大きな力を要し、そのことは強く張り付く板の間のように粘着力が出る場合は、その強く張り付く力で繰り出せ、よって繰り出しながらゴミ取りはできるが、絨毯のように張り付く力が弱いと、上記剥がし取る力に対して張り付く力が弱いことから粘着テープ１０が繰り出せず、結果、粘着テープ巻回体１０ａが回転しないのでゴミ取り効果が出ない欠点であった。
【００１８】
また、その前後連動により粘着ゴミ取りは、移動粘着させた粘着テープ１０の使用開始位置とその終わりの位置が不明確となり、その境目近傍では、汚れ状況がまばらとなることからゴミの粘着も一定せず、よって粘着テープ１０の無駄となる部分が発生する。
【００１９】
そこで、本願の目的とするところは、上述したように最も多く汎用されている一般市販品の粘着ローラクリーナが多くの課題を持つにも拘わらず、汎用として多用されていることは、その使い勝手の良さの証しであり、そこでその従来の課題と使い勝手の良さに鑑み、その長く支持される従来品と同様に、粘着シートが付装されたローラの回転で粘着クリーニングする使い勝手の良さの使用法で、使用すると共に多くの課題を解決した粘着ローラクリーナを提供するものである。
【００２０】
また、その多くの課題の粘着ローラの直径と粘着クリーニングする対象物の関係における理想的な粘着クリーニングをすることと、さらに粘着シートの粘着面の更新が破り取るような煩雑な作業を要しないからその都度毎に破り捨てる手間もなく、新たな粘着面を容易に更新できて粘着テープを無駄なく使用でき、加えてその更新のとき、汚れた粘着テープを手で触ることなく更新できるので衛生的に使用できる粘着ローラクリーナを得ることを目的としたものである。
【課題を解決するための手段】
【００２１】
本発明は、上記課題を有効に達成するために、第１の解決手段として、クリーニングローラ体の軸心を支軸で回動可能に枢着する粘着ローラクリーナにおいて、粘着シートが巻回された粘着ロール体と、該粘着ロール体から引き出された引出粘着シートを巻き取りする巻取り軸を回動自在に該クリーニングローラ体内に枢着し、該引出粘着シートをクリーニングローラ体より周面に引き出すと共に周回させて、再び該ローラ体内に挿入できるように、クリーニングローラ体周面に粘着シートの繰出し口と巻取り口を該粘着シート巾に開設すると共に粘着ロール体から繰出し口近傍の間及び巻取り口近傍から巻取り軸の間で、該引出粘着シートの移動を止め、または粘着ロール体及び巻取り軸の回動を止める粘着シートストッパを設け、上記粘着ロール体の巻き軸の径が、従来品の粘着ロール体より小径とすると共に前記粘着シートの巻き数を変えることで所要直径とし、該直径に比例させて前記クリーニングローラ体の所要直径としたことで、
クリーニングローラ体の繰出し口よりクリーニングローラ体周面に粘着面を外側に引出粘着シートとして引き出すと共に周回させて、再び巻取り口より該本体内に挿入して巻取り軸で巻き取り保持すると共にクリーニングローラ体周面で巻回保持される引出粘着シートが緩まないように、張力を持って保持させ、その状態で、クリーニング対象物の広さ、材質など条件に対応させて、クリーニングローラ体の直径を変更して、該クリーニングローラ体を前後に転がすように回動移動させて、クリーニングローラ体周面の粘着シートでゴミを粘着除去することとしている。
【００２２】
また、第２の解決手段は、粘着シート巾と略同幅で、且つ該クリーニングローラ体の少なくともその半径分の外周面へ突出する該角取り支持部材を出没可能にクリーニングローラ体内に設け、または粘着シート巾と略同幅で、且つ該クリーニングローラ体の少なくともその半径分の外周面を該角取り支持部材とし、該クリーニングローラ体の該周面近傍の該側板間に設ける支軸を介して該周面外へ回動して上記膨出状に突出するように、該角取り支持部材を枢着したことで、
クリーニングローラ体周面に巻回付装された引出粘着シートが、該略引出粘着シート幅で、且つクリーニングローラ体周面より少なくともその略半径分、該引出粘着シートを膨出状に角取り支持部材を介して突出させて、室内など壁面立ち上がりの角部近傍の床ゴミを粘着除去する事としている。
【発明の効果】
【００２３】
本発明は、上述したそれぞれの手段によって有効な効果が得られるようにしたもので、特に、第１の解決手段の、左右に側板を有する筒状のクリーニングローラ体の軸心を、ハンドルに設けられた支軸で回動可能に枢着すると共に該軸芯から等間隔に粘着シートが巻き軸に巻回された粘着ロール体と、該粘着ロール体から引き出された引出粘着シートを巻き取りする巻取り軸を、該クリーニングローラ体の該側板間でそれぞれ平行に所定間隔を持って回動自在に枢着し、該粘着ロール体の粘着シートを引き出してクリーニングローラ体周面に、該引出粘着シートの粘着部を表側にして周回させて付装すると共に再び、該ローラ体内に挿入して更新ハンドルを介して巻取り軸で巻き取りできるように、クリーニングローラ体の周面に、引出粘着シートの繰出し口と、巻取り口を該粘着シート巾で開設し、該クリーニングローラ体周面に巻回付装して保持される引出粘着シートが緩まないように、粘着ロール体から繰出し口近傍の間及び巻取り口近傍から巻取り軸の間で、該引出粘着シートの移動を止め、または粘着ロール体及び巻取り軸の回動を止める粘着シートストッパを設けた粘着ローラクリーナにおいて、
粘着ロール体の巻き軸の径が、従来品の粘着ロール体より小径とすると共に前記粘着シートの巻き数を変えることで所要直径として、該直径に比例させて該クリーニングローラ体の所要直径として形成することにより、
該引出粘着シートが付装されたクリーニングローラ体を、床面又はソファーなどクリーニング対象物に接触回動させることで、該引出粘着シートの粘着部でゴミなどを粘着させ、該粘着部が汚れたとき、巻取り軸と連動するシート更新ハンドルを回転させて、クリーニングローラ体周面の引出粘着シートを巻取り軸で巻き取ることで、粘着ロール体から新しい粘着シートがクリーニングローラ体周面に引き出され、該新しい引出粘着シートで粘着クリーニングできるので、従来のように汚れた部分をその都度、破り捨てる手間が必要なく、一定量次々更新することで連続して無駄なく粘着シートが使用でき、また更新するとき粘着シート破り捨てる時間を要せず、素早く更新できるので掃除が捗る。
【００２４】
また、そのことにより従来のように汚れた粘着シートを手で捲り、破り取る必要がないので、その汚れ面を直接、手で触れることもなく衛生的で、その汚れによる不快感を覚えることもない。
【００２５】
さらに、従来のように粘着ロールそのものを直接クリーナとして使用せず、クリーニングローラ体を介して粘着クリーニングするので、粘着シートを使用しても粘着クリーニングする径変化は起こらず、また床面など広い場所、またはクッションなど狭く部分的な場所に応じて、該クリーニングローラ体の直径を選定することで、その広い部分を粘着ゴミ取りするときは大径のものが効率的で、小径のものは小物に使用すると使いやすく、クリーニングローラ体の直径と粘着クリーニングする対象物の関係における理想的な効率でクリーニングができる。
【００２６】
つまり、粘着シートが巻回された粘着ロール体と、該粘着ロール体から繰り出された粘着シートを巻き取りする巻取り軸が、クリーニングローラ体に内設されることで、絨毯等床面の広い対象物をクリーニングする場合は、大径のクリーニングローラ体を使用することで粘着面積が広くなり、その分引出粘着シートが長く使用でき、その更新も少なく、よって効率よく粘着クリーニングできる。
【００２７】
さらにまた、クッション、ソファーなど狭く小物の粘着クリーニングは、小径のクリーニングローラ体を使用することで、手元で簡易に使用でき、その素材性質と対象物に合わせ効率よく粘着クリーニングできる。
【００２８】
加えて、粘着シートストッパ該クリーニングローラ体を回動移動させて引出粘着シートで床などの汚れを粘着除去するとき、該引出粘着シートがクリーニング対象物に粘着して引っ張られることで、該引出粘着シートが緩んで粘着除去の効率が落ちる障害を防ぎ、常に、クリーニングローラ体周面に張力を持って引出粘着シートを付装しているので、粘着しやすい板材等の床面の粘着クリーニングでも緩むことなく、効率よくクリーニングできる。
【００２９】
なお、上記クリーニングローラ体の外径の大小は、該クリーニングローラ体に内有する粘着ロール体の径の大小に関係し、粘着ロール体の径の約二倍が該クリーニングローラ体の直径と略同等であるから、該粘着ロール体の巻き軸の径を小さくすることで、粘着シートがより多く巻き取れ、その巻き数により粘着ロール体の径が選ばれ、よってクリーニングローラ体の外径もそれに合わせて決めることができる。
【００３０】
しかして、第２の解決手段の、クリーニングローラ体周面に巻回付装された引出粘着シートが、該略引出粘着シート幅で、且つクリーニングローラ体周面より少なくともその略半径分、該引出粘着シートが膨出状に角取り支持部材を介して突出するように、粘着シート巾と略同幅で、且つ該クリーニングローラ体の少なくともその半径分の外周面へ突出する該角取り支持部材としてクリーニングローラ体内から周面外へ出没可能にクリーニングローラ体内に設けられ、または粘着シート巾と略同幅で、且つ該クリーニングローラ体の少なくともその半径分の外周面を該角取り支持部材とし、該クリーニングローラ体の該周面近傍の該側板間に設ける支軸を介して該周面外へ回動して上記膨出状に突出可能に、該角取り支持部材を枢着したことにより、
従来、不可能であった室内など壁面立ち上がりの角部近傍の床の汚れを、角取り支持部材を介してクリーニングローラ体周面より突出させた該引出粘着シートで、該角部近傍の床ゴミの汚れを容易に粘着除去できる。
よって、本発明は、一般的な粘着ローラ及び先行技術を飛躍させて利便性を高めたことにより、実用上著大な効果を奏する。
【図面の簡単な説明】
【００３１】
【図１】本発明の第一実施例の一部省略した側面図である。
【図２】粘着ロール体の巻き軸の径と該直径の本願と従来例の比較を表す側面図である。
【図３】本発明の第一実施例の要部の平面図である。
【図４】本発明の図３の矢視Ａ−Ａ線断面図である。
【図５】本発明の引出粘着シートの配置を示す側面の想像図である。
【図６】本発明の第二実施例の要部の側面断面図である。
【図７】本発明の第三実施例の要部の側面断面図である。
【図８】本発明の第四実施例の要部の側面断面図である。
【発明を実施するための最良の形態】
【００３２】
本発明の第１の実施例は、粘着ローラクリーナのクリーニングローラ体内に、粘着シートが巻き軸に巻回された粘着ロール体と、該粘着ロール体から引き出された引出粘着シートを巻き取りする巻取り軸を、所定間隔を持って回動自在に枢着し、該粘着ロール体から粘着シートを引き出してクリーニングローラ体周面に、該引出粘着シートの粘着部を表側にして周回させて付装すると共に再び、該ローラ体内に挿入して更新ハンドルを介して巻取り軸で巻き取りできるように、クリーニングローラ体周面に、引出粘着シートの繰出し口と巻取り口を該粘着シート巾に開設した構成により、
クリーニングローラ体周面の引出粘着シートの粘着部でゴミを粘着除去し、該引出粘着シートの粘着部が汚れると、更新ハンドルを介して巻取り軸で汚れた引出粘着シートを巻き取り、新しい粘着面を一定量次々更新することで連続使用する粘着ローラクリーナを実現し、
また、繰出し口と巻取り口または粘着ロール体と巻取り軸に粘着シートストッパを設ける事で、
床などの汚れを粘着除去するとき、クリーニング対象物に粘着して引出粘着シートが引っ張られて緩むのを防止し、特に、粘着しやすい板材等の床面も緩むことなく、効率よくクリーニングするのを実現し、
また、粘着ロール体の巻き軸の径が、従来品の粘着ロール体より小径とすると共に前記粘着シートの巻き数を変えることで粘着ロール体の所要直径とし、該直径に比例させて前記クリーニングローラ体の所要直径としたことで、
絨毯等広い床面、またはクッションなど狭く小物のゴミを粘着除去する対象物に対して、クリーニング対象物の広さ、材質など条件に対応させて、クリーニングローラ体の直径を変更して、効率よく粘着クリーニングできる粘着ローラクリーナを実現している。
【００３３】
また、第２の実施例は、クリーニングローラ体周面に巻回付装した引出粘着シートが、該クリーニングローラ体周面より角取り支持部材を介して膨出状に突出できるように、粘着シート巾と略同幅で、且つ該クリーニングローラ体の少なくともその半径分の外周面へ突出する該角取り支持部材を該クリーニングローラ体内に設けられ、または粘着シート巾と略同幅で、且つ該クリーニングローラ体の少なくともその半径分の外周面を該角取り支持部材とし、該クリーニングローラ体の該周面近傍の該側板間に設ける支軸を介して該周面外へ回動して上記膨出状に突出可能に、該角取り支持部材を枢着したことで、
角取り支持部材を介してクリーニングローラ体周面より膨出状に突出した該引出粘着シートで、室内など壁面立ち上がりの角部近傍の床ゴミを粘着除去する粘着ローラクリーナを実現している。
【実施例】
【００３４】
本発明の第１、第３実施例を図面に基づいて説明すると、図１において、１は粘着ローラクリーナで、該粘着ローラクリーナ１は、クリーニングローラ体２と、粘着シート３が巻き軸４に巻き取られた粘着ロール体５と、該粘着ロール体５から粘着シート３が引き出された引出粘着シート６を巻き取りする巻取り軸７を、該クリーニングローラ体２内に内設すると共に左右の側板８，８が設けられた該クリーニングローラ体２の軸心を、ハンドル９に設けられる支軸１０で回動可能に枢着している。
【００３５】
そこで、該クリーニングローラ体２は、図１及び図３に示すように、筒状で両側面の側板８，８にハンドル９の支軸１０を枢着し、そして粘着ロール体５の巻き軸４と、引出粘着シート６を巻き取りする巻取り軸７を、それぞれ所定間隔を持って回動自在に支持できるように、該クリーニングローラ体２内で対面する両側板８，８にそれぞれロール軸受１１，１１と巻き支軸受１２，１２を設け、また該クリーニングローラ体２の周面の縦方向に、引出粘着シート６を繰り出す繰出し口１３と、該引出粘着シート６を挿入巻き取る巻取り口１４を開設すると共に該繰出し口１３と巻取り口１４との間に仕切り板１５を設けている。
【００３６】
なお、巻取り軸７は、図１及び図4に示すように巻き取られた使用済みの汚れた粘着シート３を容易に抜き取れるように接触面積を減らせる多角形の六角柱とし、該巻取り軸７の一方端側を巻き支軸受１２で支持すると共に他方端側の該巻取り軸７を側板８より回動可能に突出させてその突出先端部に更新ハンドル１６を設けている。
【００３７】
また、該繰出し口１３と巻取り口１４は、引出粘着シート６の横巾と厚さに合わせて形成し、またロール軸受１１，１１と巻き支軸受１２，１２の所定間隔は、巻き軸４に粘着シート３が最大巻かれた粘着ロール体５の直径を考慮した間隔で設けられる。
【００３８】
なお、該粘着ロール体５は、図２の（ａ）に示すように、第３実施例の小径の巻き軸４に巻き取られた粘着ロール体５とし、該巻き取られた粘着ロール体５の直径は、巻き軸４に巻き取る粘着シート３の巻き数量により設定して、その使用場所に応じて決められると共に上記クリーニングローラ体２の直径に反映して形成するのに対して、従来例では、図２の（ｂ）に示すように、粘着シート３が大径の巻き軸４ａに巻き取られた粘着ロール体５ａとし、該巻き軸４ａに差があることを示している。
【００３９】
しかして、図４に示すクリーニングローラ体２と、粘着ロール体５、引出粘着シート６及び巻取り軸７の各関連する配置は、該粘着ロール体５の粘着シート３を引き出すと共に繰出し口１３よりクリーニングローラ体２の周面へ、該引出粘着シート６の粘着部１７を表側にして周回させて付装すると共に再び巻取り口１４から該ローラ体２内に挿入して巻取り軸７で巻き取り、その巻き取りは更新ハンドル１６を介して該巻取り軸７で引出粘着シート６を巻き取り、その巻き取るとき、該引出粘着シート６が緩んで繰り出しと巻き取りの該引出粘着シート６同士が粘着しないように繰出し口１３と、巻取り口１４の間に仕切り板１５を設けている。
【００４０】
そして、該粘着ロール体５の粘着シート３を引き出してクリーニングローラ体２の周面へ周回させて付装する該引出粘着シート６の経路は、図５に示す矢印のように、粘着ロール体５から繰り出しとクリーニングローラ体２の周面へ周回させると共にその引出粘着シート６の表側を粘着部１７と裏側が非粘着面１７ａとしてクリーニングローラ体２の周面に付装して巻取り軸７で巻き取りする。
【００４１】
しかして、粘着ローラクリーナ１を使用するときの前準備として、図1，図3及び図4に示すように、予め市販の粘着ロール体５を、クリーニングローラ体２内のロール軸受１１，１１に支持させると共に繰出し口１３より、粘着シート３を引き出してクリーニングローラ体２の周面へ、該引出粘着シート６の粘着部１７を表側にして周回させて付装すると共に再び巻取り口１４から該ローラ体２内に挿入して、更新ハンドル１６を介して巻取り軸７で引出粘着シート６を巻き取ることで、クリーニングローラ体２の周面に引出粘着シート６の粘着部１７が装着されて粘着クリーニングする準備が完了する。
【００４２】
上述のように準備できた粘着ローラクリーナ１で、絨毯上、ソファーなどのゴミを粘着除去するとき、図１に示すように、まずハンドル９を持って粘着ローラクリーナ１のクリーニングローラ体２を絨毯上、ソファーなどの上を転がすように、矢印の前方へ移動させることにより、引出粘着シート６の粘着部１７がゴミを粘着し、粘着部１７がゴミで汚れ粘着が悪くなると、更新ハンドル１６を廻して引出粘着シート６を巻取り軸７で巻き取ると同時に、粘着ロール体５から粘着シート３が引出粘着シート６として繰り出されることでクリーニングローラ体２周面の引出粘着シート６が更新され、よって該粘着ローラクリーナ１の粘着部１７が更新されて連続して粘着クリーニングできる。
【００４３】
しかして、図６に示す第２実施例は、前記繰出し口１３と巻取り口１４の間の仕切り板１５の上端部に、該引出粘着シート６と略同巾の端面略楕円棒状の粘着シートストッパ１８を設け、該楕円の粘着シートストッパ１８を回動させて、該粘着シートストッパ１８の長円側の両先端部近傍と、繰出し口１３の誘導部１３ａ及び巻取り口１４の誘導部１４ａとで挟むように、繰り出しと巻き取りの該引出粘着シート６の移動を止め、又は開放させる。
【００４４】
そして、該粘着シートストッパ１８の移動を止める機能は、上記したように粘着ローラクリーナ１で、絨毯、ソファーなどのゴミを粘着除去するとき、クリーニングローラ体２の周面に設けられる引出粘着シート６の粘着部１７が、絨毯、ソファーなどに粘着し、その張り付いて該引出粘着シート６を引っ張る力が発生することにより該引出粘着シート６が引っ張られて緩み、その緩みがクリーニングローラ体２周面上の引出粘着シート６を弛ませることで、粘着部１７同士が粘着したりするとゴミに粘着しづらくなり、そのことからクリーニング効率を下げる緩みを防止するものであり、この目的のため、他の方法として粘着ロール体５の巻き軸４及び巻取り軸７の回動を止めるように、該巻き軸４及び巻取り軸７にストッパーを設ける構成としても同じ効果が得られ、またクリーニングローラ体２周面上の引出粘着シート６を弛ませず、必要なとき、緩ませる構成であれば良いが特に図示は省略した。
【００４５】
しかして、図７及び図８に示す第４実施例は、室内など壁面立ち上がりの角部近傍の床面ゴミを粘着除去できるように、該引出粘着シート６をクリーニングローラ体２の周面より突出させて粘着除去するもので、図７に示すようにクリーニングローラ体２の周面と直交する縦方向に、該引出粘着シート６と略同巾の板状の角取り支持部材１９を該クリーニングローラ体２内から該周面へ出没可能に設け、該角取り支持部材１９を出没させる移動ボタン２０は、該クリーニングローラ体２の側板８側に設け、該移動ボタン２０を介して角取り支持部材１９を移動させることで、クリーニングローラ体２の周面より引出粘着シート６を突出させる。
【００４６】
また、図８に示す第４実施例の他の実施例は、上記該引出粘着シート６をクリーニングローラ体２より突出させる構成で、前記繰出し口１３の誘導部１３ａから該クリーニングローラ体２の所定要部である一片を、回動角取り支持部材１９ａとして設けると共に支軸２１を介して該回動角取り支持部材１９ａを回動状に起立させ、該起立するその所定量が、該クリーニングローラ体２から突出する引出粘着シート６の突出量として、上記室内など壁面立ち上がりの角部近傍に対応し、該回動角取り支持部材１９ａはクリーニングローラ体２の粘着シート巾と略同幅で形成される。
【００４７】
なお、上記繰出し口１３の誘導部１３ａ側の回動角取り支持部材１９ａを回動させるとしているが、取り口１４の誘導部１４ａ側としても良く、またはクリーニングローラ体２の周面の任意の途中で盛り上がるように回動角取り支持部材１９ａを設けても良いが、特に図示は省略した。
【００４８】
そして、室内など壁面立ち上がりと床面の角の死角部分近傍の床面ゴミを粘着除去するとき、該角取り支持部材１９または回動角取り支持部材１９ａを介して引出粘着シート６をクリーニングローラ体２の周面より突出させて、該突出する該引出粘着シート６の先端の先細部分で、該室内など壁面と床面の角部のゴミを粘着除去する。
【００４９】
そして、上述のように絨毯、ソファーなどのゴミを粘着除去し、また室内など壁面と床面との角近傍の床面ゴミを粘着除去し、その粘着除去後、引出シート粘着６がゴミにより粘着力を失うと、前記粘着シートストッパ１８を回動させて引出粘着シート６の移動可能にすると共に更新ハンドル１６を回転させて巻取り軸７で該引出粘着シート６を巻き取り、クリーニングローラ体２の周面に新たな引出粘着シート６を引き出して該粘着シート３の更新を行い、改めて粘着クリーニングの準備が完了する。
【００５０】
また、粘着ロール体５の粘着シート３を全て使い終わると、使用済みの汚れた粘着シート３を巻き取った巻取り軸７を、更新ハンドル１６を介して側板８より引き抜くことで、該汚れた粘着シート３が巻取り軸７から容易に抜け落ちて捨てることができ、その状態で新たに、前述した粘着ローラクリーナ１を使用するときの前準備のときのように、改めてクリーニングローラ体２に粘着ロール体５を装着して使用する。
【産業上の利用可能性】
【００５１】
本発明の粘着ローラクリーナ１は、クッション、ソファーなど狭い範囲と、絨毯など床面の広い範囲と、またそれら壁面など立ち上がりの角部近傍の床面ゴミを粘着除去する粘着クリーナとして利用することができる。
【符号の説明】
【００５２】
１  粘着ローラクリーナ
２  クリーニングローラ体
３  粘着シート
４  巻き軸
５  粘着ロール体
６  引出粘着シート
７  巻取り軸
８  側板
９  ハンドル
１０  支軸
１３  繰出し口
１４  巻取り口
１６  更新ハンドル
１７  粘着部
１８  粘着シートストッパ
１９  角取り支持部材
１９ａ  回動角取り支持部材。
【要約】
【課題】粘着シート３を引出して更新することで連続使用でき、また室内の壁面立ち上がり近傍の床面ゴミを粘着除去する粘着ローラクリーナ１を得ること。
【解決手段】粘着ロール体５と、引出粘着シート６を巻き取る巻取り軸７をクリーニングローラ体２内に枢着し、該クリーニングローラ体２周面に、引出粘着シート６を引き出して周回させて再び該ローラ体２内に挿入する繰出し口１３と巻取り口１４を開設して、該周面の引出粘着シート６でゴミを粘着除去し、また引出粘着シート６の繰り出しを止める粘着シートストッパ１８を設け、粘着ロール体５の巻き軸４の径を小径とすると共に粘着シート３の巻き数を変え、またクリーニングローラ体２周面の該引出粘着シート６を角取り支持部材１９を介して該周面より突出させて壁面立ち上がり近傍の床面の角部のゴミを粘着除去する。
【選択図】図１【図１】
0005476529.tif 000002
【図２】
0005476529.tif 000003
【図３】
0005476529.tif 000004
【図４】
0005476529.tif 000005
【図５】
0005476529.tif 000006
【図６】
0005476529.tif 000007
【図７】
0005476529.tif 000008
【図８】
0005476529.tif 000009